(57)【要約】【課題】ドームカバーに施された種々のコーティングを輸送／設置時に保護する目的で、比較的大型な専用の樹脂製プロテクターを設けた公知の形態が知られているが、とりわけ少量多品種生産のネットワークカメラに於いてこのような高額な金型投資の発生は抑制すべき要素の一つである。【解決手段】レンズ鏡筒ユニットと、レンズ鏡筒ユニットを覆うように具備された略半球状のドームカバーと、ハウジングと、を備えた撮像装置と、該撮像装置の前記ハウジングに対し着脱可能に構成された着脱ユニットと、を備え、前記着脱ユニットは、前記ドームカバーを覆うように略筒状乃至は略球体状に形成されると共に前記ハウジングとの密着部を具備することを特徴とする。【選択図】図６
2019020546.tif 000002
【特許請求の範囲】
【請求項１】
レンズ鏡筒ユニットと、レンズ鏡筒ユニットを覆うように具備された半球状のドームカバーと、ハウジングと、を備えた撮像装置と、
該撮像装置の前記ハウジングに対し着脱可能に構成された着脱ユニットと、
を備え、
前記着脱ユニットは、前記ドームカバーを覆うように筒状乃至は球体状に形成されると共に前記ハウジングとの密着部を具備することを特徴とする撮像装置。
【請求項２】
筒状に形成された着脱ユニットは、緩衝材から構成されることを特徴とする請求項１に記載の撮像装置。
【請求項３】
球体状に形成された着脱ユニットは、透明材から形成されることを特徴とする請求項１に記載の撮像装置。
【請求項４】
密着部は、粘着剤乃至は可撓性を備えた材質から形成される吸着盤であることを特徴とする請求項１に記載の撮像装置。
【請求項５】
ハウジングは、該ハウジングの体裁面から僅かに突出し前記ドーム部材を覆うように形成された立設部を設けることを特徴とする請求項１に記載の撮像装置。
【発明の詳細な説明】
【技術分野】
【０００１】
本発明は、ネットワークカメラに於けるドームの保護形態に関する。
【背景技術】
【０００２】
近年、画像を遠隔的にモニタリングできるネットワークカメラに於いて、降雨時の視認性確保や防汚性向上を目的として、本体に具備されたドームカバーに対しコーティングが施された形態が知られている。
【０００３】
例えば、公知の形態として、ドームカバーに親水コーティングが施されたものが知られているが、特性上、耐摩耗性に乏しく、輸送／設置時にコーティング面に触れてしまうと、使用時には出荷当初の性能から著しく性能が低下してしまう課題がある。
【０００４】
そこで、当該公知の形態では、輸送／設置時にドームを物理的に保護する目的で、専用の樹脂製ドームプロテクターを黒色成形し、一連の輸送／設置作業が完了した時点で該ドームプロテクターをカメラ本体から取り外す構成としている。尚、ドームプロテクターとカメラ本体の保持はテープ材によって為されている。
【０００５】
一般的なドーム型ネットワークカメラは、特許文献１で示されるように、その造形上、設置時にドームに触れてしまうことが避けられず、この制約の中でコーティングが施されたドームカバーに触れないようにする手段の一つが上記公知の形態であった。
【先行技術文献】
【特許文献】
【０００６】
【特許文献１】特開２０１０−２０６６２１号公報
【発明の概要】
【発明が解決しようとする課題】
【０００７】
しかしながら、上記公知の形態では、ドームカバーを保護するための比較的大型な専用の樹脂製プロテクターを設けており、金型投資、部品コスト面での課題があった。ネットワークカメラは、コンスーマ向けのカメラと異なり一般的に少量多品種が特徴であり、投資を最小限に抑えることが要諦となってくる。
【課題を解決するための手段】
【０００８】
上記の課題を解決するために、本発明に係る撮像装置は、
レンズ鏡筒ユニットと、レンズ鏡筒を覆うように具備された略半球状のドームカバーと、ハウジングと、を備えた撮像装置と、
該撮像装置の前記ハウジングに対し着脱可能に構成された着脱ユニットと、
を備え、
前記着脱ユニットは、前記ドームカバーを覆うように略筒状乃至は略球体状に形成されると共に前記ハウジングとの密着部を具備することを特徴とする。
【発明の効果】
【０００９】
本発明に係る撮像装置によれば、梱包材や既存のドーム部材を輸送時及び設置時のドームプロテクターとして併用させる形態であるので、従来技術のように比較的大型の専用プロテクターを起工する必要が無く、投資面及び部品コスト面で合理的である。
【図面の簡単な説明】
【００１０】
【図１】本発明を適用したネットワークカメラの外観図及び分解斜視図である。
【図２】本発明を適用したネットワークカメラと略筒状の着脱ユニットの構成図である。
【図３】本発明を適用したネットワークカメラと略球体状の着脱ユニットの構成図である。
【図４】本発明を適用したネットワークカメラと略球体状の着脱ユニットの構成図である。
【図５】本発明を適用したネットワークカメラに於ける密着部近傍を示す詳説図である。
【図６】本発明を適用したネットワークカメラと略筒状の着脱ユニットに於ける開梱から設置までを示すフローチャートである。
【図７】本発明を適用したネットワークカメラと略球体状の着脱ユニットに於ける開梱から設置までを示すフローチャートである。
【図８】従来の実施形態を示す模式図である。
【発明を実施するための形態】
【００１１】
以下、添付図に従って、本発明を撮像装置であるところのネットワークカメラに適用した場合の実施形態について詳説する。
【００１２】
図１は本発明を適用したネットワークカメラの外観図及び分解斜視図である。
【００１３】
外観は、ドームカバー１０２とハウジング１０３から構成され、ハウジング１０３は上カバー１０３−ａと下カバー１０３−ｂから構成されている。
【００１４】
ドームカバー１０２は、レンズ鏡筒ユニット１０１を含むカメラユニット１の前面に配設された透明性を有する略半球状の光学窓であり、該ドームカバー１０２の表面には親水コーティングが施されている。本コーティングにより、雨滴等がドームカバー１０２に付着した際のモニタリング画像への影響を最小化することが可能である。
【００１５】
カメラユニット１は、レンズ鏡筒ユニット１０１を、夫々Ｐ軸、Ｔ軸、Ｒ軸周りに手動で回転可能な構成となっており、設置時にレンズ鏡筒ユニット１０１を撮影したい方向に向けた上で螺子等の手段で固定される。
【００１６】
筺体内には、不図示のプリント基板が配設され、画像処理回路、ネットワーク処理回路、メモリ、電源系ＩＣ、外部インターフェースコネクタ等が具備されている。本実施例では、外部インターフェースコネクタとして、カメラ本体との通信／給電を司るＲＪ４５コネクタ、外部デバイス入出力コネクタ、音声入出力コネクタ、映像データのバックアップ等を司るカメラ本体から着脱可能に構成された不揮発性メモリ用コネクタ、カメラ内の情報を読み書きする為のデバッグコネクタ等が設けられている。
【００１７】
下カバー１０３−ｂには、設置用の３箇所の貫通穴１０３−ｈが形成されており、螺子等の固定手段を該貫通穴１０３−ｈに挿通させることによりネットワークカメラ本体が天井、壁含めた設置面へ固定される。
【００１８】
図８は、従来の実施形態を示す模式図である。
【００１９】
一般的に、コーティングは耐摩耗性に乏しく、とりわけ親水コーティングはその傾向が顕著である。そこで、当該公知の形態では、輸送／設置時にドームカバーを物理的に保護する目的で、専用の樹脂製ドームプロテクター４０１を黒色成形し、一連の輸送／設置作業が完了した時点で該ドームプロテクター４０１をネットワークカメラ本体４００から取り外す構成としている。尚、ドームプロテクター４０１とネットワークカメラ本体４００の保持はテープ材４０２によって為されている。本ドームプロテクター４０１は比較的大型であり、少量多品種生産が特徴の業界に於いて金型投資、部品コスト面での課題があった。
【００２０】
図２は、本発明を適用したネットワークカメラと略筒状の着脱ユニットの構成図である。
【００２１】
輸送／保管時に於いて、ネットワークカメラ本体は、包装箱３００に格納されており、パルプ材から形成される略筒状の着脱ユニットであるところの緩衝材１０４によって、ドームカバー１０２及びドームカバー１０２のコーティング面が保護されている。
【００２２】
略筒状の着脱ユニット１０４は、複数の鍔部１０４−ａを具備し、該鍔部１０４−ａ上にハウジング１０３との密着部であるところの粘着剤２０２−ａが配設されている。ハウジング１０３と着脱ユニット１０４は、該粘着剤２０２−ａにより保持固定されている。
【００２３】
図６は、本発明を適用したネットワークカメラと略筒状の着脱ユニットに於ける開梱から設置までを示すフロー図である。
【００２４】
先ず、包装箱３００から着脱ユニット１０４が付いた状態のネットワークカメラ本体を取り出し（ａ）、下カバー１０３−ｂに形成された設置用の３箇所の貫通穴１０３−ｈに螺子等の固定手段を挿通させ設置面に対し固定する。本実施例では、下カバー１０３−ｂと上カバー１０３−ａは、ステンレス製の落下防止ワイヤー１０６により接続される構成としているので、設置作業工程の中で上カバー１０３−ａを高所から地上へ、あるいは地上から高所へ持ち運びする、というプロセスが不要となる。一方、ワイヤー１０６で接続していることにより、レンズ方向を手動でＰ／Ｔ／Ｒ軸周りに調整する際や配線作業時にドームカバー１０２が下カバー１０３−ｂに触れてしまうことが予見されるが、上カバー１０３−ａ上に固定された着脱ユニット１０４がそれを防止する（ｂ）。次に、ワイヤー１０６で接続されている上カバー１０３−ａの側面部乃至は着脱ユニット１０４を両手で支持しながら下カバー１０３−ｂに合わせ、螺子等の手段によって固定する（ｃ）。最後に、着脱ユニット１０４を上カバー１０３−ａから取り外し、設置完了となる（ｄ）。
【００２５】
尚、本実施例では、着脱ユニット１０４をパルプ材から構成される緩衝材としたが、シート状の熱可塑性樹脂を熱成形することにより得られる緩衝材としても良いのは言うまでもない。
【００２６】
図３は、本発明を適用したネットワークカメラと略球体状の着脱ユニットの構成図である。輸送／保管時に於いて、ネットワークカメラ本体は、包装箱３００に格納されており、略球体状の着脱ユニット１０５によって、ドームカバー１０２及びドームカバー１０２のコーティング面が保護されている。本実施例では、該略球体状の着脱ユニット１０５を、他モデル向けの相対的に大型のドームカバーとしており、即ち既存のドームカバーをドームプロテクターとして活用している。略球体状の着脱ユニット１０５は、フランジ部に上カバー１０３−ａとの密着部であるところの可撓性を備えた材質から形成される複数の吸着盤２０１を備え、上カバー１０３−ａと着脱ユニット１０５は、該吸着盤２０１による圧力差により吸着固定されている。
【００２７】
図７は、本発明を適用したネットワークカメラと略球体状の着脱ユニットに於ける開梱から設置までを示すフロー図である。
【００２８】
基本的な流れは図６に同じであり、レンズ方向調整時及び配線作業時に於いては着脱ユニット１０５がネットワークカメラ本体のドームカバー１０２を保護し、一連の設置作業が完了したタイミングで着脱ユニット１０５の吸着盤２０１を上カバー１０３−ａから取り外す。密着部を吸着盤とすることにより再利用性に富み、ネットワークカメラ本体の設置場所を変える際やメンテナンス時の利便性が向上する。また、本実施例に係る着脱ユニット１０５は、前述の通り他モデル向けのドームカバーであり透明性を有する。従い、着脱ユニット１０５をネットワークカメラ本体に装着した状態で調整したレンズ方向が所望か否かを確認できるので、設置性の向上にも繋がるものである。
【００２９】
図４は、図３に於ける吸着盤２０１が円環状の粘着剤２０２−ｂに置き換わった実施形態である。
【００３０】
一般的にコーティング面は、化学物質等の影響を受け易く輸送環境内に介在する化学物質が包装箱の間隙から侵入するケースや、カメラ本体に組み込まれているゴム部材から析出するケースが考えられる。
【００３１】
そこで、図４のような構成とすることにより、ネットワークカメラ本体のドームカバー１０２と着脱ユニット１０５で覆われる空間が略密閉状態となるので、化学物質等による影響を最小化することができる。
【００３２】
図５は、本発明を適用したネットワークカメラに於ける密着部近傍を示す詳説図である。
【００３３】
図３に同じく略球体状の着脱ユニット１０５によりドームカバー１０２を保護し、着脱ユニット１０５は吸着盤２０１により上カバー１０３−ａに吸着固定されている。ここで、上カバー１０３−ａの開口部全周に体裁面から僅かに突出させるように立設部２０３が設けられており、着脱ユニット１０５を上カバー１０３−ａに装着する際の簡易的な位置出しの機能を担うと共に、装着作業時に着脱ユニット１０５がネットワークカメラ本体のドームカバー１０２を傷付けるリスクを抑制するものである。更に、壁面設置に於ける降雨時に、雨が該立設部２０３の外周を伝って下方へ流れ落ちる形となるので、ハウジングとドームカバーの間隙への水分／ゴミ等の付着が抑止され、近傍に配設されているゴムパッキンの劣化を最小化することができる。
【００３４】
以上述べたように、本発明によれば、梱包材や既存のドーム部材を輸送時及び設置時のドームプロテクターとして併用させる形態であるので、従来技術のように比較的大型の専用プロテクターを起工する必要も無く、投資面及び部品コスト面で合理的である。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した実施形態の一部を適宜組み合わせても良い。
【符号の説明】
【００３６】
１０１  レンズ鏡筒ユニット、１０２  ドームカバー、１０３  ハウジング、
１０４  略筒状の着脱ユニット、１０５  略球体状の着脱ユニット、１０６  密着部、
２０１  吸着盤、２０２−ａ  粘着剤、２０２−ｂ  粘着剤、２０３  立設部
【図１】
2019020546.tif 000003
【図２】
2019020546.tif 000004
【図３】
2019020546.tif 000005
【図４】
2019020546.tif 000006
【図５】
2019020546.tif 000007
【図６】
2019020546.tif 000008
【図７】
2019020546.tif 000009
【図８】
2019020546.tif 000010